(57)【要約】      （修正有）【課題】ドラムから引き出す動作を何度も行うことなく本体から電源コードを延ばすことができる電気掃除機を提供する。【解決手段】電気掃除機は、電動送風機と、本体ケースと、電源コード１３と、ドラム２７と、ぜんまいバネ３２と、ブレーキ２８と、巻き取りボタン２１と、蓋体２０と、を備える。本体ケースは、本体の外郭をなす。電源コード１３は、外部から電力を供給する。ドラム２７は、回転により電源コード１３を巻き取る。ぜんまいバネ３２は、ドラム２７にトルクを加える。ブレーキ２８は、ドラム２７の回転を抑える。巻き取りボタン２１は、ブレーキ２８を解除する。蓋体２０は、本体ケースの外部に開閉可能に設けられる。蓋体２０は、閉じているときはドラム２７を本体ケースの外部から遮蔽する。蓋体２０は、開いているときはドラム２７の軸方向の一端を本体ケースの外部に露出させる。【選択図】図３
2019141394.tif 000002
【特許請求の範囲】
【請求項１】
外部から塵埃を吸い込む気流を発生させる電動送風機と、
本体の外郭をなし前記電動送風機が内部に設けられる本体ケースと、
前記電動送風機に外部から電力を供給する電源コードと、
回転することで前記電源コードを側面に巻き取るドラムと、
前記電源コードを巻き取る方向に前記ドラムにトルクを加えるぜんまいバネと、
前記ぜんまいバネが加えるトルクに抗して前記ドラムの回転を抑えるブレーキと、
前記ブレーキによる前記ドラムの抑えを解除する巻き取りボタンと、
前記本体ケースの外部に開閉可能に設けられ、閉じているときは前記ドラムを前記本体ケースの外部から遮蔽し、開いているときは前記ドラムの軸方向の一端を前記本体ケースの外部に露出させる蓋体と、
を備える電気掃除機。
【請求項２】
前記蓋体は、前記ドラムの軸方向の前記一端に着脱可能に接続される円盤状の第１フランジを有し、
前記ドラムは、軸方向の他端に円盤状の第２フランジを有し、
前記第１フランジは、前記蓋体が閉じている場合に前記ドラムと連動して回転する請求項１に記載の電気掃除機。
【請求項３】
前記ドラムは、軸方向の前記一端に同軸の環状リブを有し、
前記第１フランジは、前記蓋体が閉じている場合に前記環状リブの内側に嵌まり合う環状または円状の嵌合部を有する請求項２に記載の電気掃除機。
【請求項４】
前記本体ケースは、閉じている状態の前記蓋体に当たって接するコードリールケースを備えるとともに、
前記蓋体は、第１切欠きを有し、
前記コードリールケースは、第２切欠きを有し、
前記蓋体が閉じている場合に、前記第１切欠きと前記第２切欠きを合わせた状態で前記電源コードのコード径より大きく、前記電源コードの鍔部より小さい径となる開口を形成するとともに、
前記コードリールケースは、前記蓋体の前記第１切欠きより深い前記第２切欠きを有する請求項１から請求項３のいずれか一項に記載の電気掃除機。
【請求項５】
前記コードリールケースより前記電源コードが滑りやすい材料からなり前記開口の縁をなす出口部材
を備える請求項４に記載の電気掃除機。
【請求項６】
前記ドラムは、側面に沿って巻き取られる方向に前記電源コードを案内する案内リブを有する請求項１から請求項５のいずれか一項に記載の電気掃除機。
【請求項７】
前記巻き取りボタンは、前記蓋体に設けられ、前記蓋体が開いている場合に前記ブレーキとの接続が切り離される請求項１から請求項６のいずれか一項に記載の電気掃除機。
【請求項８】
前記電源コードが外部から供給する電力によって駆動力を発生させるモーターと、
前記ぜんまいバネを前記モーターまたは前記ドラムのいずれの回転に連動させるかを切り替えるクラッチと、
を備え、
前記電源コードが外部の電源に接続されている場合に、前記クラッチは前記ぜんまいバネを前記モーターの回転に連動させ、前記モーターは発生させる駆動力によって前記ぜんまいバネを巻き取る請求項１から請求項７のいずれか一項に記載の電気掃除機。
【請求項９】
予め定められたトルクより大きいトルクの回転を伝達しないトルククラッチ
を備え、
前記ぜんまいバネは、前記トルククラッチを介して前記モーターまたは前記ドラムの回転と連動する請求項８に記載の電気掃除機。
【請求項１０】
前記ドラム、前記ぜんまいバネ、前記クラッチおよび前記トルククラッチは、中心軸が同一直線状に配置される請求項９に記載の電気掃除機。
【発明の詳細な説明】
【技術分野】
【０００１】
本発明は、電気掃除機に関する。
【背景技術】
【０００２】
特許文献１に電気掃除機の例が記載されている。電気掃除機は、電源コードとモーターとぜんまいバネとドラムとを備える。電源コードは、本体から延ばされる。電源コードは、外部の電源を電気掃除機に供給する。モーターは、ぜんまいバネを巻き取る。使用者が電気掃除機を使用した後に、ぜんまいバネは、ドラムを回転させることで電源コードを巻き取る。
【先行技術文献】
【特許文献】
【０００３】
【特許文献１】特許第４０７３３８６号公報
【発明の概要】
【発明が解決しようとする課題】
【０００４】
しかしながら、特許文献１の電気掃除機において、使用者が電気掃除機を使用する前に、電源コードは、ドラムから引き出される。電源コードは、一度の引き出す動作で、動作のストロークの長さしか引き出されない。このため、使用者は、電源コードをドラムから引き出す動作を何度も行う必要がある。
【０００５】
本発明は、このような課題を解決するためになされた。本発明の目的は、ドラムから引き出す動作を何度も行うことなく本体から電源コードを延ばすことができる電気掃除機を提供することである。
【課題を解決するための手段】
【０００６】
本発明に係る電気掃除機は、外部から塵埃を吸い込む気流を発生させる電動送風機と、本体の外郭をなし前記電動送風機が内部に設けられる本体ケースと、前記電動送風機に外部から電力を供給する電源コードと、回転することで前記電源コードを側面に巻き取るドラムと、前記電源コードを巻き取る方向に前記ドラムにトルクを加えるぜんまいバネと、前記ぜんまいバネが加えるトルクに抗して前記ドラムの回転を抑えるブレーキと、前記ブレーキによる前記ドラムの抑えを解除する巻き取りボタンと、前記本体ケースの外部に開閉可能に設けられ、閉じているときは前記ドラムを前記本体ケースの外部から遮蔽し、開いているときは前記ドラムの軸方向の一端を前記本体ケースの外部に露出させる蓋体と、
を備える。
【発明の効果】
【０００７】
本発明によれば、電気掃除機は、電動送風機と、本体ケースと、電源コードと、ドラムと、ぜんまいバネと、ブレーキと、巻き取りボタンと、蓋体と、を備える。電動送風機は、外部から塵埃を吸い込む気流を発生させる。本体ケースは、本体の外郭をなす。本体ケースは、電動送風機が内部に設けられる。電源コードは、電動送風機に外部から電力を供給する。ドラムは、回転することで電源コードを側面に巻き取る。ぜんまいバネは、電源コードを巻き取る方向にドラムにトルクを加える。ブレーキは、ぜんまいバネが加えるトルクに抗してドラムの回転を抑える。巻き取りボタンは、ブレーキによるドラムの抑えを解除する。蓋体は、本体ケースの外部に開閉可能に設けられる。蓋体は、閉じているときはドラムを本体ケースの外部から遮蔽する。蓋体は、開いているときはドラムの軸方向の一端を本体ケースの外部に露出させる。これにより、使用者は、ドラムから引き出す動作を何度も行うことなく本体から電源コードを延ばすことができる。
【図面の簡単な説明】
【０００８】
【図１】実施の形態１に係る電気掃除機の構成図である。
【図２】実施の形態１に係る本体の上面斜視図である。
【図３】実施の形態１に係るコードリール組立体の垂直断面図である。
【図４】実施の形態１に係るコードリール組立体の上面斜視図である。
【図５】実施の形態１に係るコードリール組立体の分解斜視図である。
【図６】実施の形態１に係る本体の上面斜視図である。
【図７】実施の形態１に係るコードリール組立体の垂直断面図である。
【図８】実施の形態１に係るコードリール組立体の垂直断面図である。
【図９】実施の形態１に係るコードリール組立体の垂直断面図である。
【図１０】実施の形態１の変形例に係る本体の背面斜視図である。
【発明を実施するための形態】
【０００９】
本発明を実施するための形態について添付の図面を参照しながら説明する。各図において、同一または相当する部分には同一の符号を付して、重複する説明は適宜に簡略化または省略する。
【００１０】
実施の形態１．
図１は、本実施の形態に係る電気掃除機の構成図である。
【００１１】
電気掃除機１は、本体２と、吸込管３と、吸口体４と、を備える。
【００１２】
本体２は、吸気口５を前端部に有する。本体２は、排気口６を後端部に有する。本体２は、本体ケース７と、集塵部８と、電動送風機９と、キャスター１０と、一対の移動用車輪１１と、コードリール組立体１２と、図示しない制御部と、を備える。
【００１３】
本体ケース７は、本体２の外郭をなす。本体ケース７の底面は、被清掃面Ｇに対向する。
【００１４】
集塵部８は、本体ケース７の内部に設けられる。集塵部８は、吸気口５に内部の空間が通じる。集塵部８は、袋状のフィルターとして例えば紙パックが装着される。
【００１５】
電動送風機９は、本体ケース７の内部に設けられる。電動送風機９は、集塵部８より後方に設けられる。電動送風機９は、排気口６より前方に設けられる。電動送風機９は、吸気口５から排気口６を通る気流を発生させうるように構成される。
【００１６】
キャスター１０は、本体ケース７の下方の外部に設けられる。キャスター１０は、本体ケース７の底面から下方に突出する。
【００１７】
一対の移動用車輪１１の各々は、本体ケース７の左右の外部に設けられる。一対の移動用車輪１１の各々は、キャスター１０の後方に配置される。
【００１８】
コードリール組立体１２は、本体２の上部に設けられる。コードリール組立体１２は、電源コード１３を備える。電源コード１３は、図示しないコンセントを通じて電動送風機９に外部から電力を供給する。
【００１９】
制御部は、本体ケース７の内部に設けられる。制御部は、電動送風機９の動作を制御する。電動送風機９の動作は、気流を発生させることを含む。
【００２０】
吸込管３は、ホース１４とパイプ１５とを備える。ホース１４は、蛇腹により可撓性を有する筒状の部材である。ホース１４の端部は、本体２の吸気口５に接続される。パイプ１５は、中空円筒状の部材である。パイプ１５は、ハンドル１６を備える。ハンドル１６は、操作部１７を備える。操作部１７は、電気掃除機１の動作を制御するための信号を送信しうるように、制御部に接続される。パイプ１５の端部は、ホース１４の吸気口５に接続されていない端部に接続される。パイプ１５の内部は、ホース１４の内部に通じる。
【００２１】
吸口体４は、パイプ１５のホース１４に接続されていない端部に接続される。吸口体４は、底面に図示しない吸気口を有する。吸口体４は、吸気口からパイプ１５に通じる風路を内部に有する。
【００２２】
使用者は、電気掃除機１を使用する場合に、ハンドル１６を持って電気掃除機１を操作する。使用者は、吸口体４の底面を床面等の被清掃面Ｇに対向させる。使用者は、操作部１７によって、電動送風機９の動作を開始させる操作を行う。
【００２３】
使用者は、ハンドル１６を持って吸口体４を被清掃面Ｇ上で移動させる。本体２は、ホース１４に引かれることで、使用者の移動に追従する。キャスター１０は、本体２を進行方向Ｓに案内する。
【００２４】
制御部は、操作部１７から受信した信号に基づいて、電動送風機９の気流を発生させる動作を開始させる。電動送風機９が発生させる気流は、吸口体４の吸気口から、被清掃面Ｇにある塵埃とともに吸引される。気流は、吸口体４および吸込管３の内部を順に通過して吸気口５から集塵部８に流入する。集塵部８は、袋状のフィルターに気流を通して塵埃を捕集する。塵埃は、気流から分離される。気流は、電動送風機９に吸引されて排気口６から送出される。
【００２５】
続いて、図２から図５を用いて、コードリール組立体１２の構成を説明する。
図２は、本実施の形態に係る本体の上面斜視図である。図３は、本実施の形態に係るコードリール組立体の垂直断面図である。図４は、本実施の形態に係るコードリール組立体の上面斜視図である。図５は、本実施の形態に係るコードリール組立体の分解斜視図である。
【００２６】
コードリール組立体１２は、開口１８を有する。開口１８は、電気掃除機１の後方に向けられる。コードリール組立体１２の中心軸は、本体２の上下方向に向けられる。コードリール組立体１２は、コードリールケース１９と、蓋体２０と、巻き取りボタン２１と、を有する。
【００２７】
コードリールケース１９は、本体ケース７の上面から突出する。コードリールケース１９は、例えばＡＢＳ樹脂（アクリロニトリル、ブタジエン、スチレン共重合合成樹脂）で形成される。コードリールケース１９は、側面に突出部１９ａを有する円筒状の形状である。コードリールケース１９の突出部１９ａは、電気掃除機１の後方に向けられる。コードリールケース１９は、ストッパー受け２２を有する。ストッパー受け２２は、コードリールケース１９の突出部１９ａに設けられる。
【００２８】
蓋体２０は、接続部２３と、ストッパー２４と、を有する。蓋体２０の側面は、コードリールケース１９の側面に当たって接する。蓋体２０は、側面に突出部２０ａを有する円盤状の形状である。蓋体２０の突出部２０ａは、電気掃除機１の後方に向けられる。ストッパー２４は、蓋体２０の突出部２０ａに設けられる。ストッパー２４は、ストッパー受け２２と係りあって止まる。接続部２３は、蓋体２０のストッパー２４の反対側の端部に設けられる。接続部２３は、蓋体２０とコードリールケース１９とを接続する。接続部２３は、例えばヒンジである。ストッパー２４がストッパー受け２２から外れている場合に、蓋体２０は、接続部２３を回転軸として回転可能である。
【００２９】
巻き取りボタン２１は、蓋体２０の上面に設けられる。巻き取りボタンは、蓋体２０の突出部２０ａに設けられる。巻き取りボタン２１の上面は、蓋体２０の上面と同一面上に設けられる。巻き取りボタン２１は、蓋体２０の上面より下方に移動可能である。
【００３０】
電源コード１３は、外側を被覆材で覆われるコードである。被覆材は、例えばビニル樹脂またはゴムである。電源コード１３は、プラグ２５を有する。プラグ２５は、電源コード１３の端部に設けられる。プラグ２５は、図示しないコンセントに接続される。プラグ２５は、鍔部２６を有する。鍔部２６は、プラグ２５の根元に設けられる。鍔部２６は、例えばフランジである。鍔部２６の幅は、開口１８の幅より大きい。
【００３１】
図３には、コードリール組立体１２の中心軸を含み電気掃除機１の前後方向に平行な平面による断面図が示される。
【００３２】
コードリール組立体１２は、ドラム２７と、ブレーキ２８と、アクチュエーター２９と、クラッチ組立体３０と、トルククラッチ３１と、ぜんまいバネ３２と、ぜんまいケース３３と、を備える。
【００３３】
ドラム２７は、円筒部３４と、端子保護カバー３５と、第２フランジ３６と、ラチェット３７と、一対の板バネ摺動端子３８と、を有する。
【００３４】
円筒部３４は、コードリール組立体１２の中心軸と同軸上に設けられる。
【００３５】
電源コード１３は、プラグ２５と反対側の端部に一対の端子を有する。一対の端子は、円筒部３４の上面に配置される。
【００３６】
端子保護カバー３５は、円筒部３４の上部に設けられる。端子保護カバー３５は、円盤状の形状である。端子保護カバー３５は、コードリール組立体１２と同軸に設けられる。端子保護カバー３５の半径は、円筒部３４の半径と同じである。円筒部３４および端子保護カバー３５は、ドラム２７の周方向の側面をなす。端子保護カバー３５は、電源コード１３の一対の端子の各々を上方から覆う。端子保護カバー３５は、環状リブ３９を有する。環状リブ３９は、端子保護カバー３５の上端に設けられる。環状リブ３９の上端面は、内側に向く。
【００３７】
第２フランジ３６は、円盤状の形状である。第２フランジ３６は、コードリール組立体１２の中心軸と同軸上に設けられる。第２フランジ３６は、円筒部３４の下端に設けられる。第２フランジ３６は、円筒部３４と一体に形成される。
【００３８】
ラチェット３７は、第２フランジ３６の下面に設けられる。ラチェット３７は、第２フランジ３６と一体に設けられる。ラチェット３７は、円環状の内歯を有する。ラチェット３７の内歯は、周方向の一方に傾く。
【００３９】
一対の板バネ摺動端子３８の各々は、金属等の導電端子である。一対の板バネ摺動端子３８の各々は、円筒部３４の下面に設けられる。一対の板バネ摺動端子３８の各々は、電源コード１３の一対の端子の各々に接続される。
【００４０】
ブレーキ２８は、ブレーキ部材４０と、バネ４１とを有する。
【００４１】
ブレーキ部材４０は、一方向に長い板状の部材である。ブレーキ部材４０は、コードリール組立体１２の径方向に延びる。ブレーキ部材４０は、コードリール組立体１２の径方向に移動可能である。ブレーキ部材４０は、ラチェット抑え部４０ａと傾斜部４０ｂとを有する。ラチェット抑え部４０ａは、コードリール組立体１２の内側に向くブレーキ部材４０の端部に設けられる。ラチェット抑え部４０ａは、上方を向く突起である。ラチェット抑え部４０ａは、ラチェット３７の内歯に当たってドラム２７の一方向の回転を抑える。傾斜部４０ｂは、ブレーキ部材４０のラチェット抑え部４０ａと反対側の端部に設けられる。傾斜部４０ｂは、外側の上方に向く端面である。
【００４２】
バネ４１は、ブレーキ部材４０のラチェット抑え部４０ａより内側に設けられる。バネ４１は、圧縮された状態で設けられる。
【００４３】
アクチュエーター２９は、コードリールケース１９の下方に設けられる。アクチュエーター２９は、モーター４２と、歯車４３とを有する。モーター４２は、駆動力を発生させる。歯車４３は、モーター４２が発生させる駆動力により、コードリール組立体１２の上下方向を軸として回転する。
【００４４】
クラッチ組立体３０は、スプール主軸４４と、巻き取り歯車４５と、クラッチ４６と、バネ４７と、コイル４８と、センサー４９と、センサーケース５０と、を有する。
【００４５】
スプール主軸４４は、一方向に長い棒状の部材である。スプール主軸４４は、コードリール組立体１２の中心軸と同軸上に設けられる。スプール主軸４４は、上部接続部４４ａと、フランジ４４ｂと、下部接続部４４ｃと、を有する。上部接続部４４ａは、スプール主軸４４の上部に設けられる。上部接続部４４ａは、軸方向に延びるセレーションを有する。フランジ４４ｂは、スプール主軸４４の中間部に設けられる。フランジ４４ｂは、円盤状の形状である。下部接続部４４ｃは、スプール主軸４４の下部に設けられる。下部接続部４４ｃは、下端に歯を有する。下部接続部４４ｃは、フランジ４４ｂと下端との間に歯のない部分を有する。
【００４６】
巻き取り歯車４５は、円盤形状である。巻き取り歯車４５は、コードリール組立体１２の中心軸と同軸上に設けられる。巻き取り歯車４５は、コードリールケース１９の下面に回転可能に保持される。巻き取り歯車４５は、側面に歯を有する。巻き取り歯車４５の歯は、歯車４３と同一面内で噛合う。巻き取り歯車４５は、接続部４５ａを有する。接続部４５ａは、巻き取り歯車４５の下面に設けられる。接続部４５ａは、側面に歯を有する。
【００４７】
クラッチ４６は、二重円筒状の形状である。クラッチ４６において、二重円筒の内側円筒は、二重円筒の外側円筒より長い。クラッチ４６は、コードリール組立体１２の中心軸と同軸に設けられる。クラッチ４６は、軸方向の上方および下方の間で移動可能である。クラッチ４６は、スプール主軸４４および巻き取り歯車４５の下方に設けられる。クラッチ４６は、上部接続部４６ａと、中間接続部４６ｂと、下部接続部４６ｃと、磁石５１と、を有する。
【００４８】
上部接続部４６ａは、内側円筒の上部に設けられる。上部接続部４６ａは、上端に内歯を有する。上部接続部４６ａは、上端より下方に内歯のない部分を有する。クラッチ４６が軸方向の下方に移動している場合に、上部接続部４６ａの内歯は、スプール主軸４４の下部接続部４４ｃの歯に噛合う。クラッチ４６が軸方向の上方に移動している場合に、上部接続部４６ａの内歯は、スプール主軸４４の下部接続部４４ｃの歯から外れる。
【００４９】
中間接続部４６ｂは、内歯を有する。中間接続部４６ｂの内歯は、外側円筒の内面に設けられる。中間接続部４６ｂの内歯は、軸方向に延びる。クラッチ４６が軸方向の上方に移動している場合に、中間接続部４６ｂの内歯は、巻き取り歯車４５の接続部４５ａの歯に噛合う。クラッチ４６が軸方向の下方に移動している場合に、中間接続部４６ｂの内歯は、巻き取り歯車４５の接続部４５ａの歯から外れる。
【００５０】
下部接続部４６ｃは、内側円筒の下部に設けられる。下部接続部４６ｃは、内歯を有する。下部接続部４６ｃの内歯は、内側円筒の内面に設けられる。下部接続部４６ｃの内歯は、軸方向に延びる。
【００５１】
磁石５１は、例えば永久磁石である。磁石５１は、中間接続部４６ｂの下方に設けられる。
【００５２】
バネ４７は、例えばコイルバネである。バネ４７は、コードリール組立体１２の中心軸と同軸上に設けられる。バネ４７は、フランジ４４ｂの下面とクラッチ４６の上端との間に設けられる。バネ４７は、圧縮した状態で設けられる。
【００５３】
コイル４８は、例えばソレノイドコイルである。コイル４８は、コードリール組立体１２の中心軸と同軸上に設けられる。コイル４８は、クラッチ４６の下方に設けられる。コイル４８は、磁界を発生させうるように構成される。コイル４８が発生させる磁界は、コイル４８と磁石５１との間に斥力を発生させる。
【００５４】
センサー４９は、例えば磁気センサーである。センサー４９は、クラッチ４６の側面に対向して設けられる。センサー４９は、磁石５１の磁界によってクラッチ４６の回転位置および軸方向の位置を検知しうるように構成される。
【００５５】
センサーケース５０は、センサー４９を保持する。
【００５６】
トルククラッチ３１は、コードリール組立体１２の中心軸と同軸上に設けられる。トルククラッチ３１は、クラッチ組立体３０の下方に設けられる。トルククラッチ３１は、上部接続部と、下部接続部と、を有する。トルククラッチ３１は、予め定められたトルクより小さいトルクの回転を、上部接続部および下部接続部の間で伝達する。トルククラッチ３１は、予め定められたトルクより大きいトルクの回転を、上部接続部および下部接続部の間で伝達しない。トルククラッチ３１の上部接続部は、クラッチ組立体３０に接続される。
【００５７】
ぜんまいバネ３２は、コードリール組立体１２の中心軸と同軸上に設けられる。ぜんまいバネ３２は、トルククラッチ３１の下方に設けられる。ぜんまいバネ３２の中心は、トルククラッチ３１の下部接続部に接続される。
【００５８】
ぜんまいケース３３は、上方に開く円筒状の形状である。ぜんまいケース３３は、内部にアクチュエーター２９およびクラッチ組立体３０を保持する。ぜんまいケース３３は、上部がコードリールケース１９の下面に当たって接する。ぜんまいケース３３は、ぜんまい保持板５２を有する。ぜんまい保持板５２は、ぜんまいバネ３２を保持する。ぜんまいケース３３は、ぜんまいバネ３２の外側の端部を固定する。
【００５９】
蓋体２０は、蓋ケース５３と、第１フランジ５４と、を有する。
【００６０】
蓋ケース５３は、蓋体２０の上面をなす。蓋ケース５３は、例えばＡＢＳ樹脂で形成される。
【００６１】
第１フランジ５４は、円盤状の形状である。第１フランジ５４は、コードリール組立体１２の中心軸と同軸上に設けられる。第１フランジ５４は、蓋ケース５３の下面に設けられる。第１フランジ５４は、蓋ケース５３に回転可能に保持される。第１フランジ５４は、嵌合部５５を有する。嵌合部５５は、例えば環状のリブである。嵌合部５５は、第１フランジ５４と同軸に設けられる。嵌合部５５は、第１フランジ５４と一体に設けられる。嵌合部５５の下端面は、外側に向く。嵌合部５５の下端面は、環状リブ３９の上端面と対向する。蓋体２０が閉じている場合に、嵌合部５５は、環状リブ３９の内側に嵌り合う。この場合に、第１フランジ５４およびドラム２７は、電源コード１３が巻きまわされるスプールを形成する。
【００６２】
巻き取りボタン２１は、ボタン部材５６と、バネ５７とを有する。
【００６３】
ボタン部材５６は、棒状の部分を有する。ボタン部材５６は、上端に上面を有する。ボタン部材５６は、コードリール組立体１２の上下方向に移動可能に設けられる。ボタン部材５６は、傾斜部５６ａを有する。傾斜部５６ａは、ボタン部材５６の下端に設けられる。傾斜部５６ａは、内側の下方に向く端面である。蓋体２０が閉じている場合に、傾斜部５６ａは、ブレーキ部材４０の傾斜部４０ｂに接触する。
【００６４】
バネ５７は、ボタン部材５６とコードリールケース１９との間に設けられる。バネ５７は、圧縮された状態で設けられる。
【００６５】
コードリールケース１９は、内側リング摺動端子５８と、外側リング摺動端子５９と、を有する。内側リング摺動端子５８は、円環状の金属等の導電端子である。内側リング摺動端子５８は、コードリールケース１９の上面に設けられる。外側リング摺動端子５９は、円環状の金属等の導電端子である。外側リング摺動端子５９は、コードリールケース１９の上面に設けられる。外側リング摺動端子５９は、内側リング摺動端子５８の外側に同心円状に設けられる。一対の板バネ摺動端子３８の一方は、内側リング摺動端子５８に接触する。一対の板バネ摺動端子３８の他方は、外側リング摺動端子５９に接触する。内側リング摺動端子５８および外側リング摺動端子５９は、電動送風機９、モーター４２およびセンサー４９などに電力を供給しうるように接続される。
【００６６】
図４には、蓋体２０が開いている状態が示される。図４においては、電源コード１３のプラグ２５の側の一部および端子保護カバー３５は、図示されない。
【００６７】
蓋ケース５３は、第１切欠き６０を有する。第１切欠き６０は、蓋体２０の下方に向けて開く。第１切欠き６０は、蓋体２０の突出部２０ａに設けられる。
【００６８】
コードリールケース１９は、第２切欠き６１を有する。第２切欠き６１は、コードリールケース１９の上方に向けて開く。第２切欠き６１は、コードリールケース１９の突出部１９ａに設けられる。第２切欠き６１の深さは、第１切欠き６０の深さより深い。蓋体２０が閉じている場合に、第１切欠き６０および第２切欠き６１は、合わせて開口１８をなす。
【００６９】
コードリール組立体１２は、出口部材６２を有する。出口部材６２は、上部出口部材６３と、下部出口部材６４と、を有する。出口部材６２は、コードリールケース１９より電源コード１３が滑りやすい材料からなる。出口部材６２は、例えばナイロンからなる。上部出口部材６３は、蓋体２０の下方に向けて開くＵ字状の形状である。上部出口部材６３は、第１切欠き６０の縁に設けられる。下部出口部材６４は、コードリールケース１９の上方に向けて開くＵ字状の形状である。下部出口部材６４は、第２切欠き６１の縁に設けられる。出口部材６２は、開口１８の縁をなす。
【００７０】
円筒部３４は、案内リブ６５を有する。案内リブ６５は、円筒部３４の側面に設けられる。案内リブ６５は、電源コード１３を円筒部３４の側面に沿って引き出される方向に案内する。
【００７１】
図５に示されるように、トルククラッチ３１は、中間軸６６と、ぜんまい主軸６７と、複数のトルクリミッター６８と、複数のバネ６９と、を有する。
【００７２】
中間軸６６は、上方を向く棒状の形状である。中間軸６６は、コードリール組立体１２の中心軸の同軸上に設けられる。中間軸６６の上部は、側面に歯を有する。クラッチ４６が軸方向の上方または下方のいずれに移動している場合にも、中間軸６６の上部の歯は、クラッチ４６の下部接続部４６ｃの内歯に噛合う。中間軸６６の上部は、トルククラッチ３１の上部接続部である。中間軸６６の上部は、クラッチ組立体３０に接続される。中間軸６６は、複数の突起６６ａを有する。複数の突起６６ａの各々は、中間軸６６の下部の側面に設けられる。複数の突起６６ａは、周方向に等間隔に並ぶ。
【００７３】
ぜんまい主軸６７は、二重円筒状の形状である。ぜんまい主軸６７において、二重円筒の内側円筒は、二重円筒の外側円筒より長い。ぜんまい主軸６７の内側円筒の下部は、トルククラッチ３１の下部接続部である。ぜんまい主軸６７の内側円筒の下部は、ぜんまいバネ３２の中心に接続される。
【００７４】
複数のトルクリミッター６８の各々は、摩擦面６８ａを有する。摩擦面６８ａは、円弧状に湾曲した面である。摩擦面６８ａは、ぜんまい主軸６７の外側円筒の内面に接する。
【００７５】
複数のバネ６９の各々は、例えばコイルばねである。複数のバネ６９の各々は、複数のトルクリミッター６８の各々の内側と、ぜんまい主軸６７の内側円筒の外側面との間に設けられる。複数のバネ６９の各々は、圧縮された状態で設けられる。複数のバネ６９の各々は、複数のトルクリミッター６８の各々をぜんまい主軸６７の外側円筒の内面に押し付ける。
【００７６】
トルククラッチ３１は、予め定められたトルクより小さいトルクの回転が入力される場合に、摩擦面６８ａとぜんまい主軸６７の外側円筒の内面とが滑らないことで、当該回転を上部接続部および下部接続部の間で伝達する。トルククラッチ３１は、予め定められたトルクより大きいトルクの回転が入力される場合に、摩擦面６８ａとぜんまい主軸６７の外側円筒の内面とが滑ることで、当該回転を上部接続部および下部接続部の間で伝達しない。
【００７７】
続いて、図６から図９を用いて、電気掃除機１の動作を説明する。
図６は、本実施の形態に係る本体の上面斜視図である。図７は、本実施の形態に係るコードリール組立体の垂直断面図である。図８は、本実施の形態に係るコードリール組立体の垂直断面図である。図９は、本実施の形態に係るコードリール組立体の垂直断面図である。
【００７８】
図６においては、蓋体２０が開いた状態が示される。
【００７９】
使用者は、電気掃除機１を使用する前に、ストッパー２４をストッパー受け２２から外して蓋体２０を開く。ドラム２７の上端は、本体ケース７の外部に露出する。
【００８０】
この状態において、鍔部２６は、第２切欠き６１に掛けられている。コードリール組立体１２の上面が上方を向いている場合に、電源コード１３は、ドラム２７に巻かれた状態でとまっている。
【００８１】
図７においては、蓋体２０が開いた状態が示される。
【００８２】
蓋体２０が開いている場合に、巻き取りボタン２１は、ブレーキ２８から離れる。
【００８３】
ブレーキ部材４０は、バネ４１によって外側に押さえられる。ラチェット３７の円環状の内歯は、ラチェット抑え部４０ａに係りあって止まる。このとき、ドラム２７の回転は抑えられる。
【００８４】
使用者は、ドラム２７に束ねて巻かれた電源コード１３を、束ねられたままコードリールケース１９から取り出す。使用者は、電源コード１３を延ばす。ドラム２７が回転しないので、電源コード１３は、巻き取られない。使用者は、プラグ２５をコンセントに接続する。電源コード１３は、コンセントを通じて電気掃除機１の外部から電力を供給する。使用者は、蓋体２０を閉じる。使用者は、電気掃除機１の使用を開始する。
【００８５】
図８においては、蓋体２０が閉じた状態が示される。
【００８６】
電気掃除機１の外部から電力が供給される場合に、コイル４８は、通電される。コイル４８は、磁界を発生させる。磁石５１は、コイル４８が発生させる磁界により発生する斥力を受ける。磁石５１は、軸方向の上方に移動する。クラッチ４６は、磁石５１に追従して、軸方向の上方に移動する。クラッチ４６の中間接続部４６ｂは、巻き取り歯車４５の接続部４５ａに噛合う。クラッチ４６の上部接続部４６ａは、スプール主軸４４の下部接続部４４ｃから上方に外れる。
【００８７】
センサー４９は、磁石５１の磁場によってクラッチ４６が軸方向の上部に移動したことを検知する。この場合に、モーター４２は、駆動力を発生させる。歯車４３は、モーター４２が発生させる駆動力により回転する。巻き取り歯車４５は、歯車４３と噛合って回転する。クラッチ４６は、巻き取り歯車４５に追従して回転する。トルククラッチ３１は、クラッチ４６の回転をぜんまいバネ３２に伝達する。ぜんまいバネ３２は、巻き取られる。スプール主軸４４は、モーター４２の回転が伝達されない。
【００８８】
ぜんまいバネ３２が巻き取られるにつれて、トルククラッチ３１に入力される回転のトルクは、大きくなる。トルククラッチ３１に入力される回転のトルクが予め定められたトルクより大きい場合に、トルククラッチ３１は、回転を伝達しない。
【００８９】
センサー４９は、磁石５１の磁場によってクラッチ４６の回転数を検知する。クラッチ４６において、ぜんまいバネ３２の巻き数の上限に対応する回転数が予め定められている。クラッチ４６の回転数が予め定められた回転数に達した場合に、モーター４２は駆動力を発生させる動作を停止する。
【００９０】
この場合に、コイル４８は、通電が停止される。クラッチ４６は、バネ４７の弾性力によって、軸方向の下方に移動する。クラッチ４６の中間接続部４６ｂは、巻き取り歯車４５の接続部４５ａから外れる。クラッチ４６の上部接続部４６ａは、スプール主軸４４の下部接続部４４ｃに噛合う。
【００９１】
図９においては、蓋体２０が閉じている状態が示される。
【００９２】
使用者は、電気掃除機１を使用した後に、巻き取りボタン２１を下方に押す。ボタン部材５６は、バネ５７の弾性力に抗しながら下方に移動する。ボタン部材５６の傾斜部５６ａは、ブレーキ部材４０の傾斜部４０ｂをコードリール組立体１２の内側に押し込む。ブレーキ部材４０は、バネ４１の弾性力に抗しながら、内側に移動する。ラチェット抑え部４０ａは、内側に移動する。ラチェット３７の円環状の内歯は、ラチェット抑え部４０ａから外れる。
【００９３】
ぜんまいバネ３２は、トルククラッチ３１に回転を入力する。トルククラッチ３１は、クラッチ４６に回転を伝達する。クラッチ４６は、トルククラッチ３１によって回転する。スプール主軸４４は、クラッチ４６に追従して回転する。ドラム２７は、スプール主軸４４に追従して回転する。第１フランジ５４は、ドラム２７に追従して回転する。電源コード１３は、ドラム２７の回転によって、ドラム２７および第１フランジ５４が形成するスプールに巻き取られる。
【００９４】
電源コード１３は、出口部材６２と接触して滑りながら巻き取られる。鍔部２６は、プラグ２５が開口１８の内部に入り込むことを防ぐ。
【００９５】
以上に説明したように、本実施の形態に係る電気掃除機１は、電動送風機９と、本体ケース７と、電源コード１３と、蓋体２０と、ドラム２７と、ぜんまいバネ３２と、ブレーキ２８と、巻き取りボタン２１と、を備える。電動送風機９は、外部から塵埃を吸い込む気流を発生させる。本体ケース７は、本体２の外郭をなす。本体ケース７は、電動送風機９が内部に設けられる。電源コード１３は、電動送風機９に外部から電力を供給する。ドラム２７は、回転することで電源コード１３を側面に巻き取る。ぜんまいバネ３２は、電源コード１３を巻き取る方向にドラム２７にトルクを加える。ブレーキ２８は、ぜんまいバネ３２が加えるトルクに抗してドラム２７の回転を抑える。巻き取りボタン２１は、ブレーキ２８によるドラム２７の抑えを解除する。蓋体２０は、本体ケース７の外部に開閉可能に設けられる。蓋体２０は、閉じているときはドラム２７を本体ケース７の外部から遮蔽する。蓋体２０は、開いているときはドラム２７の軸方向の一端を本体ケース７の外部に露出させる。これにより、使用者は、蓋体２０を開けて、ドラム２７に束ねて巻かれた電源コード１３を束ねられたまま取り出せる。したがって、使用者は、ドラム２７から引き出す動作を何度も行うことなく、本体２から電源コード１３を延ばすことができる。使用者は、電源コード１３を本体２から容易に取り出せる。停電時などの外部から電力が供給されない場合に、ぜんまいバネ３２が巻き取られていなくても、使用者は、蓋体２０を開けることで、電源コード１３をドラム２７に手で巻きまわして収納できる。
【００９６】
また、蓋体２０は、ドラム２７の軸方向の一端に着脱可能に接続される円盤状の第１フランジ５４を有する。ドラム２７は、軸方向の他端に円盤状の第２フランジ３６を有する。第１フランジ５４は、蓋体２０が閉じている場合にドラム２７と連動して回転する。これにより、第１フランジ５４およびドラム２７は、電源コード１３が巻きまわされるスプールを形成する。第２フランジ３６および第１フランジ５４は、電源コード１３を当該スプールに巻き取る場合に、軸方向にずれることを防止する。蓋体２０が開く場合に、第１フランジ５４は、ドラム２７から外れる。使用者は、第１フランジ５４に引っかからずに、容易に電源コード１３を本体２から取り出せる。
【００９７】
また、ドラム２７は、軸方向の一端に同軸の環状リブ３９を有する。第１フランジ５４は、嵌合部５５を有する。嵌合部５５は、蓋体２０が閉じている場合に環状リブ３９の内側に嵌まり合う。嵌合部５５は、環状である。使用者が電源コード１３をドラム２７に手で巻きまわして収納する場合に、電源コード１３は、ドラム２７の上面に乗り上げうる。この場合に、環状リブ３９および嵌合部５５は、蓋体２０を閉じることで電源コード１３が噛み込まれることを防ぐ。
【００９８】
また、電気掃除機１は、コードリールケース１９を備える。コードリールケース１９は、閉じている状態の蓋体２０に当たって接する。蓋体２０は、第１切欠き６０を有する。コードリールケース１９は、第２切欠き６１を有する。第２切欠き６１は、第１切欠き６０より深い。第２切欠き６１は、蓋体２０が閉じている場合に第１切欠き６０とあわせて開口１８をなす。電源コード１３は、鍔部２６を端部に有する。鍔部２６の幅は、開口１８の幅より大きい。これにより、蓋体２０が開いている場合に、使用者は、深い第２切欠き６１に鍔部２６を掛けることができる。使用者が電源コード１３をドラム２７に手で巻きまわして収納する場合に、コードリールケース１９は、電源コード１３の端部を安定に保持する。
【００９９】
また、電気掃除機１は、出口部材６２を有する。出口部材６２は、コードリールケース１９より電源コード１３が滑りやすい材料からなる。出口部材６２は、開口１８の縁をなす。これにより、電源コード１３は、ドラム２７に滑らかに巻き取られる。出口部材６２は、巻き取り時の引っかかりなどによって電源コード１３に傷がつくことを防ぐ。
【０１００】
また、ドラム２７は、案内リブ６５を有する。案内リブ６５は、側面に沿って巻き取られる方向に電源コード１３を案内する。これにより、電源コード１３は、スムーズに巻き取られる。使用者が電源コード１３をドラム２７に手で巻きまわして収納する場合に、使用者は、巻きまわす方向を容易に知ることができる。案内リブ６５は、電源コード１３が逆方向に巻きまわされることを防ぐ。これにより、案内リブ６５は、電源コード１３の損傷を防ぐ。
【０１０１】
また、巻き取りボタン２１は、蓋体２０に設けられる。巻き取りボタン２１は、蓋体２０が開いている場合にブレーキ２８との接続が切り離される。これにより、蓋体２０が開いている場合に、ブレーキ２８は、解除されない。コードリール組立体１２は、蓋体２０が開いている状態で、電源コード１３がドラム２７の回転によって巻き取られることを防ぐ。したがって、コードリール組立体１２は、電源コード１３が乱雑に巻き取られることを防ぐほか、巻き取りボタン２１の誤操作による不意なドラム２７の回転部への接触による怪我を防ぐ。
【０１０２】
また、電気掃除機１は、モーター４２と、クラッチ４６と、を備える。モーター４２は、電源コード１３が外部から供給する電力によって駆動力を発生させる。クラッチ４６は、ぜんまいバネ３２をモーター４２またはドラム２７のいずれの回転に連動させるかを切り替える。電源コード１３が外部の電源に接続されている場合に、クラッチ４６は、ぜんまいバネ３２をモーター４２の回転に連動させる。この場合に、モーター４２は、発生させる駆動力によってぜんまいバネ３２を巻き取る。これにより、使用者は、電源コード１３を束ねられたまま取り出した場合に、電源コード１３を巻き取るためにぜんまいバネ３２を巻き取る必要がない。ぜんまいバネ３２がドラム２７に接続されている場合に、モーター４２は、ドラム２７の回転に連動しない。これにより、ぜんまいバネ３２によって電源コード１３が巻きとられる場合に、モーター４２は、ドラム２７の回転の抵抗にならない。
【０１０３】
また、コードリール組立体１２は、トルククラッチ３１を有する。トルククラッチ３１は、予め定められたトルクより大きいトルクの回転を伝達しない。ぜんまいバネ３２は、トルククラッチ３１を介してモーター４２またはドラム２７に回転を伝達する。これにより、トルククラッチ３１は、過大なトルクが入力されることでぜんまいバネ３２が破損することを防ぐ。
【０１０４】
また、ドラム２７、ぜんまいバネ３２、クラッチ４６およびトルククラッチ３１は、中心軸が同一直線状に配置される。これにより、コードリール組立体１２は、軸方向に構成要素がまとめられるので、コンパクトになる。
【０１０５】
また、コードリール組立体１２は、本体ケース７の上面に設けられる。接続部２３は、本体２の前方側に設けられる。ストッパー２４およびストッパー受け２２は、本体２の後方側に設けられる。電気掃除機１を使用している状態において、本体２の上面は、上方に向く。電気掃除機１を使用した状態のまま使用者が電源コード１３をドラム２７に手で巻きまわして収納する場合に、電源コード１３は、ドラム２７から滑り落ちない。使用者は、容易に電源コード１３を手で巻きまわすことができる。本体２の前面を上方に向けて収納している場合に、蓋体２０を開けることで電源コード１３は下方に滑り落ちる。使用者は、電気掃除機１の使用を開始するときに、収納時の状態で蓋体２０を開けることで電源コード１３を取り出すことができる。
【０１０６】
なお、嵌合部５５は、環状リブ３９の内径より小さい半径の円状の形状であってもよい。嵌合部５５の外形は、環状リブ３９の内径より小さくてもよい。
【０１０７】
蓋体２０は、トーションバネを備えてもよい。トーションバネは、接続部２３に設けられる。トーションバネは、蓋体２０を開く方向に力を加える。使用者は、容易に蓋体２０を開くことができる。
【０１０８】
コードリール組立体１２は、ハンドルを備えてもよい。ハンドルは、ドラム２７の上面に設けられる。使用者は、ハンドルを回すことで、電源コード１３をドラム２７に巻きとる。使用者は、電源コード１３を容易に収納できる。ハンドルは、蓋体２０の上面に設けられてもよい。この場合、ハンドルは、蓋体２０が閉じられているときにドラム２７と連動して回転する。
【０１０９】
集塵部８は、旋回気流を用いるサイクロン方式によって塵埃を気流から分離するものでもよい。
【０１１０】
電源コード１３が外部の電源に接続されている場合に、蓋体２０が閉じられた後に、モーター４２およびクラッチ４６によってぜんまいバネ３２が巻き取られてもよい。電源コード１３が外部の電源に接続されている場合に、操作部１７からの信号に基づいて、モーター４２およびクラッチ４６によってぜんまいバネ３２が巻き取られてもよい。
【０１１１】
続いて、図１０を用いて、実施の形態１の変形例に係る電気掃除機１の構成を説明する。
図１０は、本実施の形態の変形例に係る本体の背面斜視図である。図１０において、蓋体２０が開いた状態が示される。
【０１１２】
コードリール組立体１２は、本体２の後部に設けられる。コードリールケース１９は、本体ケース７の背面から突出する。コードリールケース１９の突出部１９ａは、電気掃除機１の左側に向けられる。蓋体２０の突出部２０ａは、電気掃除機１の左方に向けられる。巻き取りボタン２１は、蓋体２０の外側の面に設けられる。巻き取りボタン２１は、コードリール組立体１２の軸方向に移動可能に設けられる。
【０１１３】
電気掃除機１を使用する状態において、蓋体２０を開けることで電源コード１３は下方に滑り落ちる。使用者は、電気掃除機１の使用を開始するときに、使用時の状態で蓋体２０を開けることで電源コード１３を取り出すことができる。
【符号の説明】
【０１１４】
１  電気掃除機、  ２  本体、  ３  吸込管、  ４  吸口体、  ５  吸気口、  ６  排気口、  ７  本体ケース、  ８  集塵部、  ９  電動送風機、  １０  キャスター、  １１  移動用車輪、  １２  コードリール組立体、  １３  電源コード、  １４  ホース、  １５  パイプ、  １６  ハンドル、  １７  操作部、  １８  開口、  １９  コードリールケース、  １９ａ  突出部、  ２０  蓋体、  ２０ａ  突出部、  ２１  巻き取りボタン、  ２２  ストッパー受け、  ２３  接続部、  ２４  ストッパー、  ２５  プラグ、  ２６  鍔部、  ２７  ドラム、  ２８  ブレーキ、  ２９  アクチュエーター、  ３０  クラッチ組立体、  ３１  トルククラッチ、  ３２  ぜんまいバネ、  ３３  ぜんまいケース、  ３４  円筒部、  ３５  端子保護カバー、  ３６  第２フランジ、  ３７  ラチェット、  ３８  板バネ摺動端子、  ３９  環状リブ、  ４０  ブレーキ部材、  ４０ａ  ラチェット抑え部、  ４０ｂ  傾斜部、  ４１  バネ、  ４２  モーター、  ４３  歯車、  ４４  スプール主軸、  ４４ａ  上部接続部、  ４４ｂ  フランジ、  ４４ｃ  下部接続部、  ４５  巻き取り歯車、  ４５ａ  接続部、  ４６  クラッチ、  ４６ａ  上部接続部、  ４６ｂ  中間接続部、  ４６ｃ  下部接続部、  ４７  バネ、  ４８  コイル、  ４９  センサー、  ５０  センサーケース、  ５１  磁石、  ５２  ぜんまい保持板、  ５３  蓋ケース、  ５４  第１フランジ、  ５５  嵌合部、  ５６  ボタン部材、  ５６ａ  傾斜部、  ５７  バネ、  ５８  内側リング摺動端子、  ５９  外側リング摺動端子、  ６０  第１切欠き、  ６１  第２切欠き、  ６２  出口部材、  ６３  上部出口部材、  ６４  下部出口部材、  ６５  案内リブ、  ６６  中間軸、  ６６ａ  突起、  ６７  ぜんまい主軸、  ６８  トルクリミッター、  ６８ａ  摩擦面、  ６９  バネ
【図１】
2019141394.tif 000003
【図２】
2019141394.tif 000004
【図３】
2019141394.tif 000005
【図４】
2019141394.tif 000006
【図５】
2019141394.tif 000007
【図６】
2019141394.tif 000008
【図７】
2019141394.tif 000009
【図８】
2019141394.tif 000010
【図９】
2019141394.tif 000011
【図１０】
2019141394.tif 000012